(57)【要約】【課題】  床下配線とコネクタブロックとの接続作業を容易化することができるフロアコンセント装置を提供する。【解決手段】  コネクタブロック１５を備えた可動体４が床面上に突出した突出状態と、当該可動体４が床面下に収納された収納状態とを切り替えることができるポップアップ型のフロアコンセント装置１において、可動体４の枠部２１に下方からコネクタブロック１５を嵌め込むようにし、枠部２１に嵌め込まれたコネクタブロック１５を固定部材２４によって下方から押さえるようにしたので、床下配線をコネクタブロック１５に接続する際に、床下配線をフロアプレート３の開口部１１に通すことなくコネクタブロック１５ｂに接続することができる。【選択図】      図４
2006204047.tif 000002
【特許請求の範囲】
【請求項１】
開口部を有して床面上に装着されるフロアプレートと、
コネクタブロックを有し、当該コネクタブロックが前記開口部から床面上に突出して当該コネクタブロックにコネクタを締結可能な突出状態と、当該コネクタブロックが床面下に収納された収納状態とが切り替え可能となるように前記フロアプレートに支持された可動体と、
を備えるフロアコンセント装置において、
前記可動体は、
天板部と、この天板部の裏面に立設され、前記コネクタブロックが下方から嵌め込まれる枠部とを有し、前記フロアプレートに回動自在に保持されたフレームと、
前記フレームに取り付けられ、前記枠部に嵌め込まれた前記コネクタブロックを下側から押さえる固定部材と、
を有することを特徴とするフロアコンセント装置。
【請求項２】
前記フレームは、前記枠部に嵌め込まれたコネクタブロックの側面を覆い隠すように前記天板部の裏面に立設された一対の側板部を有し、
前記固定部材は、前記可動体の側方に頭部を露出したネジによって前記一対の側板部の下端部に架設され、
前記フロアプレートが床面上に装着された場合には、前記収納状態と前記突出状態とのどちらにおいても、前記ネジの頭部が前記フロアプレートによって隠れることを特徴とする請求項１記載のフロアコンセント装置。
【請求項３】
前記床面上に突出する向きに前記可動体を付勢する付勢部材と、
前記固定部材の側部から外側へ突出して設けられ、前記付勢部材によって付勢された前記可動体を前記フロアプレートに係合して前記突出状態で維持するストッパと、
前記フレームに設けられ、前記ストッパと前記フロアプレートとの係合によって前記固定部材が前記ネジを中心に回動するのを前記固定部材に係合して規制する規制部と、
を備えることを特徴とする請求項２記載のフロアコンセント装置。
【発明の詳細な説明】
【技術分野】
【０００１】
本発明は、床に設置されるポップアップ型のフロアコンセント装置に関する。
【背景技術】
【０００２】
従来のこの種のフロアコンセント装置は、コンセントを備えた可動体がフロアプレートの開口部から床面上に突出した突出状態と、当該可動体が床面下に収納された収納状態とを切り替えることができるように構成されている（例えば特許文献１）。
【０００３】
特許文献１に開示されているフロアコンセント装置では、可動体は、上カバーと下カバーとでコンセント（特許文献１ではコンセント本体）を挟持した構造となっている。そして、下カバーが、軸を介してフロアプレート（特許文献１では取付プレート）に回動自在に設けられており、これにより、可動体を突出状態又は収納状態に切り替え可能となっている。
【０００４】
この種のフロアコンセント装置は、床下配線をコンセントに接続した後、床に埋設された収納ボックスの上部開口を塞ぐようにフロアプレートを固定するという手順で施工される。ここで、特許文献１に開示されるフロアコンセント装置では、配線接続用の端子台を設け、床下配線をコンセントに比較的容易に接続できるようにしてある。
【特許文献１】実開昭５６−１００８７０号公報
【発明の開示】
【発明が解決しようとする課題】
【０００５】
ところで、近年、この種のフロアコンセント装置として、電源コンセントや、電話用コネクタ、ＬＡＮコネクタ等、複数種類のコネクタブロックを並列に設けたものが実用化されている。かかるフロアコンセント装置では、複数のコネクタブロックのそれぞれに端子台を設置すると装置が大型化するため、全てのコネクタブロックについて端子台を設けるのではなく、いずれか一つのコネクタブロックについてのみ端子台を設ける場合が多い。
【０００６】
また、端子台の設置スペースの有無に拘わらず端子台を用いない場合もあり、最初から端子台自体が設けられていないフロアコンセント装置もある。
【０００７】
特許文献１と同様に上カバーと下カバーとを有する構成のフロアコンセント装置では、コネクタブロックに端子台を介さずに床下配線を直接接続させる場合には、まず、可動体をフロアプレートの開口部から突出させた状態で、上カバーを取り外してコネクタブロックを取り外す。そして、床下配線をフロアプレートの開口部を介して上方へ引き出し、その床下配線をコネクタブロックに接続しなければならい。この場合、配線がフロアプレートの開口部を通っているため、配線が動かしにくく、作業がやり難いという問題がある。
【０００８】
そこで、本発明は、床下配線とコネクタブロックとの接続作業を容易化することができるフロアコンセント装置を提供することを目的とする。
【課題を解決するための手段】
【０００９】
請求項１の発明にあっては、開口部を有して床面上に装着されるフロアプレートと、コネクタブロックを有し、当該コネクタブロックが前記開口部から床面上に突出して当該コネクタブロックにコネクタを締結可能な突出状態と、当該コネクタブロックが床面下に収納された収納状態とが切り替え可能となるように前記フロアプレートに支持された可動体と、を備えるフロアコンセント装置において、前記可動体は、天板部と、この天板部の裏面に立設され、前記コネクタブロックが下方から嵌め込まれる枠部とを有し、前記フロアプレートに回動自在に保持されたフレームと、前記フレームに取り付けられ、前記枠部に嵌め込まれた前記コネクタブロックを下側から押さえる固定部材と、を有することを特徴とする。
【００１０】
請求項２の発明にあっては、前記フレームは、前記枠部に嵌め込まれたコネクタブロックの側面を覆い隠すように前記天板部の裏面に立設された一対の側板部を有し、前記固定部材は、前記可動体の側方に頭部を露出したネジによって前記一対の側板部の下端部に架設され、前記フロアプレートが床面上に装着された場合には、前記収納状態と前記突出状態とのどちらにおいても、前記ネジの頭部が前記フロアプレートによって隠れるのが好適である。
【００１１】
請求項３の発明にあっては、前記床面上に突出する向きに前記可動体を付勢する付勢部材と、前記固定部材の側部から外側へ突出して設けられ、前記付勢部材によって付勢された前記可動体を前記フロアプレートに係合して前記突出状態で維持するストッパと、前記フレームに設けられ、前記ストッパと前記フロアプレートとの係合によって前記固定部材が前記ネジを中心に回動するのを前記固定部材に係合して規制する規制部と、を備えるのが好適である。
【発明の効果】
【００１２】
請求項１の発明によれば、前記フレームの前記枠部の下方から前記コネクタブロックを嵌め込めることにより、床下配線を前記コネクタブロックに接続する際に、床下配線を前記フロアプレートの前記開口部に通すことなく前記コネクタブロックに接続することができるので、床下配線とコネクタブロックとの接続作業を従来のフロアコンセント装置に比べて容易化することができる。
【００１３】
請求項２の発明によれば、前記フロアプレートが床面上に装着された場合には、前記収納状態と前記突出状態とのどちらにおいても、前記ネジの頭部が前記フロアプレートによって隠れることにより、前記突出状態においても、前記ネジが見えにくくなり、美観を向上することができるとともに、当該ネジの取り外しが不能となるので、床に設置された状態の当該フロアコンセント装置の前記可動体が使用者などにより分解されるのを防止することができる。
【００１４】
請求項３の発明によれば、前記ストッパと前記フロアプレートとの係合によって前記固定部材が前記ネジを中心に回動するのを、前記規制部が規制するので、収納状態から突出状態への切り替え時に前記固定部材の位置がずれることを防止することができる。
【発明を実施するための最良の形態】
【００１５】
以下、本発明の実施形態について図面を参照しながら詳細に説明する。図１は、本実施形態にかかるフロアコンセント装置の可動体が収納された収納状態を示す斜視図、図２は、フロアコンセント装置の可動体が突出した突出状態を示す側面図、図３は、フロアコンセント装置の分解斜視図、図４は、可動体を裏面側から見た分解斜視図、図５は、フロアコンセント装置を床面下側から見た斜視図、また、図６は、フロアコンセント装置の背面図である。なお、本明細書では、可動体について上下および前後方向を規定することとし、図中、ＵＰは上側、ＤＯＷＮは下側、ＦＲは前側、またＲＲは後側を示す。
【００１６】
フロアコンセント装置１は、床２に対して固定されるフロアプレート３と、使用時に床面上に突出する可動体４とを備えている。可動体４を床面下に収納した収納状態（図１）においては、可動体４の天板部５の表面５ａとフロアプレート３の表面３ａとによって連接表面６が形成される。この連接表面６は、床２の表面とほぼ同じかあるいは僅かに高い位置に形成される。なお、連接表面６は、本実施形態ではほぼ平面となっているが、凹凸を有する面としても構わない。
【００１７】
図２に示すように、可動体４は、フロアプレート３にヒンジ部７を介して回動自在に支持されている。可動体４は、ヒンジ部７のシャフト８に巻回された付勢部材であるねじりバネ９によって突出側に付勢されており、フロアプレート３の表面３ａに設けられた操作子１０を動かして可動体４とフロアプレート３とのロックを解除すると、当該ねじりバネ９の付勢力によって、可動体４がフロアプレート３の開口部１１から突出するようになっている。なお、可動体４の両側面にはストッパ１２が設けられており、このストッパ１２がフロアプレート３に係合することにより、可動体４が所定の突出状態で静止し、この突出状態が維持されるようになっている（図２）。また、可動体４とフロアプレート３とは、突出状態でもロックされ、操作子１０を動かしてこのロックを解除しない限り、可動体４を押し下げて収納状態に戻すことができないようになっている。
【００１８】
図２および図３に示すように、床２には、上部が開放された収納ボックス１３が固定されている。この収納ボックス１３の側壁には、指または工具によって打ち抜かれた穴１３ａが形成されており、床下配線１４は、この穴１３ａを介して収納ボックス１３内に引き込まれている。施工作業者は、この床下配線１４を、可動体４に装着された各コネクタブロック１５ａ，１５ｂに電気的に接続した後、フロアコンセント装置１を収納ボックス１３に取り付ける。コネクタブロック１５への床下配線１４の接続方法の詳細は、後述する。ここで、収納ボックス１３の相互に対向する側壁の上部には、それぞれネジ穴１６が形成された一対のフランジ１７が設けられており、フロアプレート３に設けられた貫通穴１８に挿通したネジ１９を当該ネジ穴１６に螺結することで、フロアコンセント装置１を収納ボックス１３に取り付けることができる。そして、フロアプレート３へ螺結したネジ１９の頭部１９ａは、収納状態で天板部５によって覆われるようになっており、美観の向上が図られている。かかる構成では、収納状態においては、可動体４の天板部５より下側の部分は、収納ボックス１３内に収納されることになる。また、この収納状態では、天板部５の下面とフロアプレート３における開口部１１の周囲の部位とが重なっており、天板部５が下方に押された場合には、天板部５の下面とフロアプレート３とが係合して、可動体４が下方に潜り込まないようになっている。
【００１９】
図４〜図６に示すように、可動体４は、フレーム２０、コネクタブロック１５（１５ａ，１５ｂ）、及び固定部材２４から構成されている。この可動体４では、フレーム２０にヒンジ部７が連結されていることで、ヒンジ部７を介してフロアプレート３に回動自在に支持されている。
【００２０】
フレーム２０は、略矩形の天板部５を備えている。この天板部５は、収納状態において、フロアプレート３の開口部１１の蓋部として機能する。なお、天板部５は他の形状（例えば円板状等）としてもよい。
【００２１】
天板部５の前部の裏面には、枠部２１が立設されている。枠部２１は、下方に向けて開放されており、この枠部２１に、複数のコネクタブロック１５が並べて嵌め込まれる。枠部２１は、下方からのコネクタブロック１５の着脱を許容している。コネクタブロック１５としては、図に示す電源コネクタブロック１５ａや、電話コネクタブロック１５ｂの他にも、ＬＡＮコネクタブロックや、コネクタが形成されない単なるスペーサとしてのダミーブロック等、種々のものが準備され、用途に応じて、適宜選択して嵌め込むことができる上、配置も適宜入れ替えることができるようにしてある。なお、嵌め込まれた複数のコネクタブロック１５の前面（プラグ締結面）１５ａは、一連の平面を形成するようにしてある。
【００２２】
さらに、天板部５の側部の裏面には左右一対の側板部２２が立設され、枠部２１に嵌め込まれたコネクタブロック１５の側面を覆い隠している。そして、これら一対の側板部２２の後部かつ下部に、リブ２３が架設されている。これらの側板部２２は、枠部２１と一体化されている。
【００２３】
固定部材２４は、枠部２１に嵌め込まれたコネクタブロック１５を下側から押さえるものであり、フレーム２０の下端部に着脱自在に架設されている。この固定部材２４と枠部２１とによってコネクタブロック１５が保持されている。固定部材２４は、具体的には、コネクタブロック１５の下方に隣接配置される略柱状の基体部２４ａと、基体部２４ａの後部かつ下部の両隅部から後方に伸びて上方に折れ曲がってリブ２３の近傍まで伸びる一対のアーム部２４ｂと、当該一対のアーム部２４ｂ間で架設されるリブ２４ｃとを有している。
【００２４】
基体部２４ａの両側面には、ネジ穴２４ｄが設けられており、フレーム２０の各側板部２２の下端部に穿設された貫通孔２２ａを外側から挿通させた左右一対のネジ２５をこれらのネジ穴２４ｄに螺結することで、固定部材２４をフレーム２０に取り付けることができるようになっている。この構造では、一対のネジ２５の頭部２５ａが可動体４の側方に露出している。これらのネジ２５は、互いに頭部２５ａを外側にした向きで相対向して、一直線状に配置されている。これらのネジ２５の軸心は、可動体４の回動軸心（シャフト８の軸心）と平行にされている。また、これらのネジ２５の頭部２５ａは、フロアプレート３が床２に装着された場合には、収納状態と突出状態とのどちらにおいても、フロアプレート３によって隠される。詳しくは、ネジ２５の頭部２５ａの少なくとも一部が、開口部１１の上端（フロアプレート３の表面３ａ）よりも下方に位置する（図２）。図２では、ネジ２５全体が開口部１１の上端よりも下方に位置する例を示している。これにより、フロアプレート３が、床２上からのネジ２５へのドライバの係合を阻止して、当該ネジ２５の取り外しを不能とする。
【００２５】
また、基体部２４ａの両側面には、フレーム２０の側板部２２の下端に設けられた切欠２２ｂを介して側板部２２より側外方に突出する突起として、ストッパ１２が設けられている。これらのストッパ１２は、ネジ２５よりもシャフト８側に設けられている。この構造では、可動体４がねじりバネ９の付勢力によってフロアプレート３の開口部１１から突出する際に、当該ストッパ１２がフロアプレート３に係合することで、固定部材２４には、ネジ２５を中心としてアーム部２４ｂが下方側へ回動する向き（図２での時計回り方向）の力が作用する。そこで、本実施形態では、アーム部２４ｂの後端部にシャフト８側から係合している規制部としてのリブ２２ｃを、フレーム２０の各側板部２２の内面から突出形成している。これにより、ストッパ１２がフロアプレート３に係合する際に固定部材２４に作用する力によって固定部材２４が回動することが、規制されている。
【００２６】
一方、フロアプレート３の裏面には、コネクタブロック１５と床下配線１４とを電気的に接続するための端子台２６が固定されている。本実施形態では、端子台２６は、収納状態においてコネクタブロック１５の後方となる位置で、ブラケット２７を介してフロアプレート３に取り付けられている。ここで、本実施形態では、端子台２６の幅を可動体４の一対の側板部２２の内壁同士の幅より狭くし、収納状態で、端子台２６の両側に間隙２８が形成されるようにしてある。このように間隙２８を形成することで、可動体４が突出状態から収納状態に移動するときに、固定された端子台２６と回動する側板部２２との間に床下配線１４が挟まれるのを抑制することができる。なお、端子台２６は、複数のうちコネクタブロック１５のうちいずれか一つ（本実施形態では電源コネクタブロック１５ａ）と電気的に接続されており、床下配線１４を端子台２６に結線することで、そのコネクタブロック１５（１５ａ）と床下配線１４とを電気的に接続することができる。なお、端子台２６には、電源コネクタブロック１５ａのように、所謂強電用のコネクタブロック１５を接続し、より通電電力の大きい電気系統についてより容易にかつより確実に導通を確保するのが好適である。
【００２７】
また、フロアコンセント装置１は、コネクタブロック１５に接続する床下配線１４の配索経路を規制するガイド構造を備えている。
【００２８】
まず、リブ２３に凹凸を形成し、この凹凸をガイド構造として用いている。本実施形態では、この凹凸として、一対の側板部２２に隣接する二箇所に、略矩形状の切欠２３ａを形成している。この切欠２３ａに床下配線１４を挿通することで、その内側（側板部２２から離間する側）の壁２３ｂによって当該床下配線１４がそれより内側に配索されるのを規制することができる。床下配線１４がより内側に配索された場合、当該床下配線１４が端子台２６や他の床下配線１４等と重なり合って、可動体４が突出状態から収納状態に移動するのに障害となるおそれがあるが、床下配線１４を切欠２３ａに挿通することでそのような事態を抑制することができる。
【００２９】
また、本実施形態では、固定部材２４のアーム部２４ｂを切欠２３ａと対向する位置まで延設し、切欠２３ａに挿通された床下配線１４をリブ２３とアーム部２４ｂの端縁２４ｅとで狭持するようにしている。これにより、床下配線１４が切欠２３ａから外れてそれより内側に配索されるのをより確実に抑制することができる。
【００３０】
なお、本実施形態では、床下配線１４を、弾性を備えた配索用チューブ（例えば樹脂チューブやゴムチューブ等）２９に挿通した状態で配索し、床下配線１４の保護性を高めている。また、この配索用チューブ２９に挿通した状態で床下配線１４をリブ２３とアーム部２４ｂとで狭持することにより、この狭持による押圧によって床下配線１４に生じる応力を低減できるという利点もある。また、この配索用チューブ２９により、特に、電源ケーブル等の所謂強電用の床下配線１４と、ＬＡＮケーブル等の所謂弱電用の床下配線１４とが混在するような場合に、床下配線１４の絶縁をより確実なものとすることができる。
【００３１】
さらに、本実施形態では、側板部２２の内壁に棚部３０を形成し、この棚部３０をガイド構造として用いている。本実施形態では、側板部２２を、リブ２３から後端部までの間で内側に屈曲して突出させ、天板部５と略平行な棚部３０を、ヒンジ部７から離間した位置（ヒンジ部７より下側となる位置）に形成している。こうすることで、床下配線１４がヒンジ部７に近接してフロアプレート３と可動体４との間に挟まれるのを抑制することができる。
【００３２】
なお、図６に示すように、棚部３０の載置面３０ａと切欠２３ａの奥の縁２３ｃとを上下方向でほぼ同じ位置に形成し、切欠２３ａに挿通された床下配線１４が、より確実に棚部３０に沿って配索されるようにするのが好適である。
【００３３】
このような構成において、コネクタブロック１５のうち端子台２６に接続されていないコネクタブロック１５ｂ（本実施形態では電話コネクタブロック１５ｂ）への床下配線１４の接続方法を説明する。コネクタブロック１５ｂと固定部材２４とがフレーム２０に取り付けられている場合には、可動体４を収納状態にして、ネジ２５を取り外し、フレーム２０から固定部材２４を取り外し、コネクタブロック１５ｂを枠部２１から下方へ取り外す。勿論、この作業は、コネクタブロック１５ｂと固定部材２４とがフレーム２０に取り付けられていない組立て未完状態の場合には、不要である。このように枠部２１に嵌め込まれていない状態のコネクタブロック１５ｂに床下配線１４を接続する。そして、床下配線１４を接続したコネクタブロック１５ｂを枠部２１に下方から嵌め込み、固定部材２４をネジ２５によってフレーム２０に取り付ける。このように、本実施形態では、コネクタブロック１５ｂを枠部２１に下方から嵌め込めることにより、床下配線１４をコネクタブロック１５ｂに接続する際に、床下配線１４をフロアプレート３の開口部１１に通すことなくコネクタブロック１５ｂに接続することができる。従って、床下配線１４とコネクタブロック１５ｂとの接続作業を従来のフロアコンセント装置に比べて容易化することができる。
【００３４】
また、本実施形態では、フロアプレート３が床２に装着された場合には、ネジ２５の頭部２５ａが、収納状態と突出状態とのどちらにおいても、フロアプレート３によって隠されることにより、当該フロアコンセント装置１の使用状態である突出状態においても、床２上からネジ２５が見えにくくなり、美観を向上させることができるとともに、フロアプレート３がネジ２５の頭部２５ａへのドライバの床２上からの係合を阻止して、当該ネジ２５の取り外しを不能とするので、床２に設置された状態の当該フロアコンセント装置１の可動体４が使用者などにより分解されるのを防止することができる。これにより、可動体４の分解による感電、漏電を防止することができる。また、この場合、ネジ２５全体を開口部１１の上端よりも下方に位置付けて、フロアプレート３によってネジ２５を隠すことにより、美観をより向上させることができる。
【００３５】
また、本実施形態では、ストッパ１２と天板部５との間にフロアプレート３の一部が位置しているが、このような構造は、固定部材２４を外した状態の可動体４をフロアプレート３の開口部１１に上側から貫通させて、その可動体４にフロアプレート３の下側から固定部材２４を取り付けることにより、実現される。この場合、ストッパ１２がフロアプレート３に係合する際に固定部材２４には、ネジ２５を中心にして当該固定部材２４を回動させようとする力が作用するが、本実施形態では、そのような回動は、リブ２２ｃによって規制されているので、収納状態から突出状態への切り替え時に固定部材２４の位置がずれることを防止することができる。
【００３６】
以上、本発明の好適な実施形態について説明したが、本発明は上記実施形態に限定されるものではなく、要旨を逸脱しない範囲で上記実施形態に種々の改変を施すことができる。
【図面の簡単な説明】
【００３７】
【図１】本発明の実施形態にかかるフロアコンセント装置の可動体が収納された収納状態を示す斜視図。
【図２】本発明の実施形態にかかるフロアコンセント装置の可動体が突出した突出状態を示す側面図。
【図３】本発明の実施形態にかかるフロアコンセント装置の分解斜視図。
【図４】本発明の実施形態にかかるフロアコンセント装置の可動体を裏面側から見た分解斜視図。
【図５】本発明の実施形態にかかるフロアコンセント装置を床面下側から見た斜視図。
【図６】本発明の実施形態にかかるフロアコンセント装置の背面図。
【符号の説明】
【００３８】
１      フロアコンセント装置
２      床
３      フロアプレート
４      可動体
５      天板部
９      ねじりバネ（付勢部材）
１１    開口部
１２    ストッパ
１５，１５ａ，１５ｂ  コネクタブロック
２０    フレーム
２１    枠部
２２    側板部
２２ｃ  リブ（規制部）
２４    固定部材
２５    ネジ
２５ａ  頭部
【図１】
2006204047.tif 000003
【図２】
2006204047.tif 000004
【図３】
2006204047.tif 000005
【図４】
2006204047.tif 000006
【図５】
2006204047.tif 000007
【図６】
2006204047.tif 000008